(57)【要約】【課題】従来の酸素供給装置は、ジェットバス等の浴槽湯を循環させる回路へ高濃度の酸素を供給する構成であり、カランやシャワー等の給湯の端末から酸素の富化された湯水を得ることはできなかった。【解決手段】給水路９と、給水路９からの給水を加熱する加熱手段１３と、この加熱手段１３によって作られた温水を供給する給湯回路１１と、この給水路９または給湯回路１１の一部に高濃度の酸素を供給する酸素富化装置２２と、この高濃度酸素を加圧混入する加圧混入手段２６を有した構成としたものであり、本発明によれば、カラン１７やシャワー１８等の給湯の端末から酸素の富化された微細気泡湯水の供給を可能とするものである。【選択図】図１
2005328943.tif 000002
【特許請求の範囲】
【請求項１】
給水路と、給水路からの給水を加熱する加熱手段と、この加熱手段によって作られた温水を供給する給湯回路と、この給水路または給湯回路の一部に高濃度の酸素を供給する酸素富化装置と、この高濃度酸素を加圧混入する加圧混入手段を有した構成の酸素富化給湯装置。
【請求項２】
酸素富化装置と、この高濃度酸素を加圧混入する加圧混入手段を、給湯装置内に設けた請求項１記載の酸素富化給湯装置。
【請求項３】
酸素富化装置と、この高濃度酸素を加圧混入する加圧混入手段を、給湯装置外でかつ屋外に設けた請求項１記載の酸素富化給湯装置。
【請求項４】
酸素富化装置を給湯回路のシャワー端末直前に設け、前記酸素富化装置が発生する高濃度酸素を加圧混入する加圧混入手段を設けた請求項１〜３いずれか１項に記載の酸素富化給湯装置。
【請求項５】
酸素富化装置を給湯回路のカラン端末直前に設け、前記酸素富化装置が発生する高濃度酸素を加圧混入する加圧混入手段を設けた請求項１〜３いずれか１項に記載の酸素富化給湯装置。
【請求項６】
酸素富化装置と、この高濃度酸素を加圧混入する加圧混入手段を、浴室内洗面置き台の内部に設けた請求項４または５に記載の酸素富化給湯装置。
【発明の詳細な説明】
【技術分野】
【０００１】
本発明は、給水を加熱する加熱手段から導かれた給湯回路に高濃度の酸素を加圧混入し、カランやシャワーなどの給湯端末から酸素富化空気混入の湯水を供給する酸素富化給湯装置に関するものである。
【背景技術】
【０００２】
従来の酸素富化装置は、ジェットバス等の浴槽湯循環回路の浴槽水に高濃度の酸素を供給するものがある（例えば特許文献１参照）。図５は、特許文献１に記載された従来の酸素富化装置を示すものである。図５に示すように、浴槽１の湯水を循環させるポンプ２と管路３に気体を供給する供給部４を設け、供給部４に酸素富化空気を供給する酸素富化装置５を設け、浴槽１には吸入口６と吐出口７を設けて構成される。
【特許文献１】特開平４−００２３４７号公報（００３−００１６、第１図）
【発明の開示】
【発明が解決しようとする課題】
【０００３】
しかしながら上記特許文献１の従来の酸素供給装置では、ジェットバス等の浴槽湯を循環させる回路へ高濃度の酸素を供給する構成であり、カランやシャワー等の給湯の端末から酸素の富化された湯水を得ることはできなかった。
【０００４】
本発明は上記課題を解決するため、一般家庭で設置している給湯装置の給水路又は給湯回路に酸素富化装置から高濃度の酸素を加圧混入させ、カランやシャワー等の給湯の端末から酸素の富化された微細気泡混入湯水の供給を可能とするものである。
【課題を解決するための手段】
【０００５】
前記従来の課題を解決するために、本発明の酸素富化給湯装置は、給水路と、給水路からの給水を加熱する加熱手段と、この加熱手段によって作られた温水を供給する給湯回路と、この給水路または給湯回路の一部に高濃度の酸素を供給する酸素富化装置と、この高濃度酸素を加圧混入する加圧混入手段を有した構成としたものであり、本発明によれば、カランやシャワー等の給湯の端末から酸素の富化された微細気泡混入湯水の供給を可能とするものである。
【発明の効果】
【０００６】
本発明の酸素富化給湯装置は、シャワーヘッドやカランから湯水を使用するとき、この湯水が大気に解放されるため、湯水に溶け込んでいた酸素富化空気が微細気泡となってシャワーヘッドやカランから噴出する結果、入浴者は酸素富化された微細気泡入りのお湯を、例えばシャワー水として使うことができ、そのままかかっても微細気泡の弾けるときに放出される超音波の効果で洗浄効果を得ることができる。また、爽快感を満喫できるとともに、高濃度酸素吸入によるリラクゼーションの相乗効果も得られる。
【発明を実施するための最良の形態】
【０００７】
本発明の第１の手段における酸素富化給湯装置は、給水路と、給水路からの給水を加熱する加熱手段と、この加熱手段によって作られた温水を供給する給湯回路と、この給水路または給湯回路の一部に高濃度の酸素を供給する酸素富化装置と、この高濃度酸素を加圧混入する加圧混入手段を有した構成としてある。
【０００８】
上記構成によって、カランやシャワーヘッド等の給湯の端末から酸素の富化された微細気泡混入湯水の供給を可能とするものである。
【０００９】
第２の手段は、前記酸素富化装置と、この高濃度酸素を加圧混入する加圧混入手段を給湯装置内に設けた酸素富化混入給湯装置であり、従来の給湯機能に酸素富化混入機能も付加された装置となっている。
【００１０】
第３の手段は、前記酸素富化装置と、この高濃度酸素を加圧混入する加圧混入手段を給湯装置外で、かつ屋外に設けた酸素富化給湯装置であり、自在な位置に設置可能となると共にカランやシャワーヘッド等給湯端末全てに酸素の富化された湯水の供給を可能とするものである。
【００１１】
第４の手段は、酸素富化装置を給湯回路のシャワー端末直前に設け、前記酸素富化装置が発生する高濃度酸素を加圧混入する加圧混入手段を設けた酸素富化給湯装置であり、より集中的にシャワーに酸素の富化された湯水の供給を可能とするものである。
【００１２】
第５の手段は、酸素富化装置を給湯回路のカラン端末直前に設け、前記酸素富化装置が発生する高濃度酸素を加圧混入する加圧混入手段を設けた酸素富化給湯装置であり、より集中的にカランから酸素の富化された湯水の供給を可能とするものである。
【００１３】
第６の手段は、酸素富化装置と、この高濃度酸素を加圧混入する加圧混入手段を、浴室内洗面置き台の内部に設けた酸素富化給湯装置であり、特に設置スペースの有効活用といえる。
【００１４】
以下、本発明の実施の形態について、図面を参照しながら説明する。従来例および各実施の形態において、同じ構成、同じ動作をする部分については同一符号を付与し、詳細な説明を省略する。なお、この実施の形態によって本発明が限定されるものではない。
【００１５】
（実施の形態１）
図１は本発明の実施の形態１における酸素富化給湯装置のシステム全体構成図である。給湯装置１０は給水路９と給湯回路１１、及び追い焚き循環回路１２を有する１缶２水熱交換器１３と、１缶２水熱交換器１３を加熱する加熱手段であるバーナ１４と、バーナ１４に燃焼空気を送るバーナファン１５と、燃焼空気の排出する排気口１６を設けて構成される。
【００１６】
給水路９の水は熱交換器１３で加熱されお湯となり、給湯回路１１を経てシャワーヘッド１７やカラン１８等から吐出される。一方、追焚き循環回路１２に設けられた風呂ポンプ１９から出た浴槽湯の循環水は熱交換器１３で加熱された後、追い焚き循環回路１２を経て追い焚きアダプタ２０から浴槽２１に噴出する。
【００１７】
酸素富化装置２２は酸素富化膜２３と、空気供給手段である送風ファン２４と、減圧手段である真空ポンプ２５と、加圧混入手段２６と逆止弁２７で、外気空気から高濃度にした酸素富化空気を給湯回路１１へ加圧混入する。
【００１８】
なお、２８はシャワー使用時、或いはカラン使用時に、吐出される酸素富化微細気泡混入湯水で、２８Ａはこの微細気泡混入湯水から放出される酸素富化空気であり、２９は浴室を示している。
【００１９】
以上のように構成された酸素富化給湯装置について、以下その動作・作用を説明する。
【００２０】
真空ポンプ２５で減圧されることで外気空気が酸素富化膜２３を通過し、高濃度の酸素（約３０％）となり逆止弁２７を通り加圧混入手段２６から給湯回路１１に加圧混入され、シャワーヘッド１７やカラン１８から湯水が大気中に解放されるとき、湯水に溶け込んだ酸素富化空気が微細気泡となって生成され、その後酸素富化空気は大気に放出される。
【００２１】
なお、このとき、酸素富化装置２２を運転しない時に給湯運転すると給湯が酸素富化装置２１へ逆流する場合があるが、逆止弁２７が逆流を防止し、酸素富化装置２２を保護するものである。
【００２２】
そして、上記シャワーヘッド１７やカラン１８から吐出する結果、入浴者は酸素富化された微細気泡入りのお湯を、例えばシャワー水として使うことができ、そのままかかっても気泡の弾けるときに放出される超音波の効果で洗浄効果を得ることができる。さらに微細気泡が故に毛穴の洗浄など皮膚の細部にまで効果を及ぼすものである。
【００２３】
さらに酸素富化された微細気泡の効果、即ち、酸素と微細気泡の相乗的な効果により血行促進、心拍数上昇抑制、快適リラックス等々の効果も生ずるものである。
【００２４】
当然、洗剤使用による洗浄後の洗い流しにおいても同様で、洗剤との相乗効果でより洗浄効果が期待でき、さらにはすすぎ効果も促進されるものである。
【００２５】
併せて、シャワー時には高濃度酸素の空気を吸入できることで酸素不足に陥りにくく、爽快にシャワーをかかることができる。とりわけ頭部からシャワーをかかるときは一層爽快にシャワーをかかることができる。
【００２６】
さらに、カランからお湯を使用する時も、上記同様高濃度酸素の空気を吸入できることで酸素不足に陥りにくく、爽快感を満喫できるものである。
【００２７】
また、シャワーをかかるか、或いはカランからお湯を使用することによって、浴室２９内の酸素濃度が高まり、高濃度の酸素を吸いながら入浴することが可能となり、長湯も可能で温浴効果も促進できる。また、酸素吸入による覚醒作用を発揮できる。そして入浴と高濃度酸素吸入によるリラクゼーションの相乗効果も期待できる。
【００２８】
なお、本実施例では酸素富化装置２２から酸素富化空気を給湯回路１１に混入しているが、他の実施例（図示せず）では給水路９に混入することも可能である。
【００２９】
（実施の形態２）
図２は本発明の実施の形態２における酸素富化給湯装置のシステム全体構成図である。この図においては、酸素富化装置２２を給湯装置１０の外で、かつ屋外に設けている。即ち、酸素富化装置２２を自在な位置に設置可能である。そして、既設の給湯装置にも後からでも工事が容易となる特長がある。また、カランやシャワー等給湯端末全てに微細気泡混入湯水と酸素富化空気の供給が可能であるのは実施の形態１と同様であり、その効果も実施の形態１と同様である。
【００３０】
（実施の形態３）
図３は本発明の実施の形態３における酸素富化給湯装置のシステム全体構成図である。この図において、３１はシャワー使用時放出される酸素富化微細気泡混入湯水で、３１Ａはこの微細気泡混入湯水から放出される酸素富化空気酸素富化空気を示し、３０は浴室内洗面置き台であり、酸素富化装置２２を給湯回路のシャワー端末直前に設けてあると共に、上記浴室内洗面置き台３０の内部に設置している。
【００３１】
従って、一つは、より集中的にシャワーに酸素の富化された湯水の供給を可能とするものである。特にシャワー時のみに微細気泡混入湯水と酸素富化空気を求める場合には、より大量に微細気泡混入湯水と酸素富化空気を確実に供給できるものである。というのは、シャワー使用時にカランからも同時にお湯を使用した場合、微細気泡混入湯水と酸素富化空気は分散されることになるためである。逆に前記実施例並みでよい場合は小型の酸素富化装置でよいことになり、当然経済的といえる。
【００３２】
もう一つは、酸素富化装置２２を上記浴室内洗面置き台３０の内部に設置しており、極めて効率的なスペースを活用していることである。
【００３３】
（実施の形態４）
図４は本発明の実施の形態４における酸素富化給湯装置のシステム全体構成図である。この図において、３２はカランからの給湯時に吐出される酸素富化微細気泡混入湯水で、３２Ａはこの微細気泡混入湯水から放出される酸素富化空気であり、３０は浴室内洗面置き台であり、酸素富化装置２２を給湯回路のシャワー端末直前に設けてあると共に、上記浴室内洗面置き台３０の内部に設置している。
【００３４】
従って、一つは、より集中的にカランからの給湯に酸素の富化された湯水の供給を可能とするものである。特にカランからの給湯に酸素富化空気を求める場合には、より大量に酸素富化空気を確実に供給できるものである。というのは、カランからの給湯時にシャワーからも同時にお湯を使用した場合、酸素富化空気は分散されることになるためである。逆に前期実施例並みでよい場合は小型の酸素富化装置でよいことになり、当然経済的といえる。
【００３５】
もう一つは、実施の形態３と同様、酸素富化装置２２を上記浴室内洗面置き台３０の内部に設置しており、極めて効率的なスペースを活用していることである。
【産業上の利用可能性】
【００３６】
以上のように、本発明にかかる酸素富化微細気泡給湯装置は浴室のあらゆる場所に設けることが可能となるので、微細気泡風呂や、湖沼などの汚濁水の水質浄化装置、溶存酸素濃度増加用などの曝気装置、水生生物などの養殖用装置、飲料水や食品の改質装置、健康福祉機器、気液反応装置等の用途にも適用できる。
【図面の簡単な説明】
【００３７】
【図１】本発明の実施例１における酸素富化給湯装置の全体構成図
【図２】本発明の実施例２における酸素富化給湯装置の全体構成図
【図３】本発明の実施例３における酸素富化給湯装置の全体構成図
【図４】本発明の実施例４における酸素富化給湯装置の全体構成図
【図５】従来の酸素富化装置の全体構成図
【符号の説明】
【００３８】
９  給水路
１０  給湯装置
１１  給湯回路
１７  シャワーヘッド
１８  カラン
２２  酸素富化装置
２４  空気供給手段
２５  減圧手段
２６  加圧混入手段
２７  逆流防止手段
２８  酸素富化微細気泡混入湯水
２８Ａ  酸素富化空気
３０  浴室内洗面置き台
３１  酸素富化微細気泡混入湯水
３１Ａ  酸素富化空気
３２  酸素富化微細気泡混入湯水
３２Ａ  酸素富化空気
【図１】
2005328943.tif 000003
【図２】
2005328943.tif 000004
【図３】
2005328943.tif 000005
【図４】
2005328943.tif 000006
【図５】
2005328943.tif 000007